(57)【特許請求の範囲】
【請求項１】
電池容量に応じて電池電圧が変化する複数個の直列接続された非水系二次電池と充電端子と放電端子と過充電・過放電防止回路とを備えたバッテリーパックであって、
前記過充電・過放電防止回路が、
個々の電池の両端子間の電圧を検出するための基準電圧と比較器により構成された第１の電圧検出手段と、前記共通端子及び前記充電端子間に直列接続された電池と直列に設けられた第１のスイッチ手段を有し、
直列接続された電池の両端子間の電圧、もしくは個々の電池の両端子間の電圧を検出するための基準電圧と比較器により構成された第２の電圧検出手段と、前記共通端子及び前記放電端子間に前記直列接続された電池と直列接続された第２のスイッチ手段とを有し、
充電時に個々の電池の電圧が第１の所定値を越えたとき、前記第１の電圧検出手段の個々の出力に基づいて前記第１のスイッチ手段をオフして、充電電流を遮断し、
放電時に個々の電池の電圧が第２の所定値以下になったとき、もしくは全電池の総電圧が第３の所定値以下になったとき、前記第２の電圧検出手段の出力に基づいて前記第２のスイッチ手段をオフして、放電電流を遮断するように構成されてなる
ことを特徴とするバッテリーパック。
【請求項２】
前記第１及び第２のスイッチ手段がｎチャンネルＦＥＴである
ことを特徴とする請求項１記載のバッテリーパック。
【発明の詳細な説明】
【０００１】
【発明の属する技術分野】
本発明は、リチウム２次電池等の非水溶媒系２次電池の過充電・過放電防止装置を備えたバッテリーパックに関する。
【０００２】
【従来の技術】
非水溶媒系２次電池、例えばリチウムイオン２次電池の電池構成例を図７に示す。このリチウムイオン２次電池１では正極２の活性物４としてＬｉＣｏＯ２
を、負極３の活物質６としてグラファイト構造を有するカーボンを用い、正極の活物質４がＡｌの集電体５に保持され、負極の活物質６がＣｕの集電体７に保持される。各活物質４及び６はセパレータ８を介して対向し、活物質４及び６間には有機電解液９が充填される。このリチウムイオン２次電池１の電圧反応は化１に示すように表現される。
【０００３】
【化１】
0003555623.tif 000002
【０００４】
電池１の充放電特性は図８及び図９に示すように電池容量即ち充放電エネルギと電池端子間電圧（所謂電池電圧）との間に強い相関を有する。図８の実線Ｉは電池電圧と充電エネルギの関係を示すグラフであり、充電エネルギが増すにつれて電池電圧が上昇する。
図９の実線ＩＩは電池電圧と放電エネルギの関係を示すグラフであり、放電エネルギが増すにつれて電池電圧が低下する。
【０００５】
電池１には電池構成材料及び電池設計できまる設計電圧ａがあり（図８参照）、この設計電圧ａを越えて充電することを過充電と呼ぶ。過充電を行うと、（１）負極３上でのＬｉ金属の析出、（２）正極活物質４の分解及び分解で生成したコバルトイオンに起因する負極３上でのＣｏ金属あるいはコバルト化合物の析出、（３）有機電解液の分解が生じる。Ｌｉ金属、Ｃｏ金属、Ｃｏ化合物の析出は正負極のショート原因となり、正極活物質４、有機電解液９の分解は電池１の著しい劣化原因となる。従って、過充電は本質的に避けなければ電池の信頼性を確保することはできない。
【０００６】
充電した電池１に外部負荷を接続して放電すると、図９に示すように電池電圧は低下して行くが、放電を継続すると負極集電体（Ｃｕ）７の溶解電圧ｂに到達する。この溶解電圧ｂに至った以降さらに放電することを過放電と呼び、過放電では当然に銅（Ｃｕ）がイオン化し、電解液９に溶出する。集電体金属が溶出すれば、集電機能の劣化、負極活物質６の脱落が生じ電池１の容量を低下させる。さらに、溶出した銅イオンが次の充電時に負極３に異常析出し、正負極のショート原因ともなる。従って、過放電も当然に避けるべき課題である。
【０００７】
従来、過放電・過充電に対する対策として次のような技術があった。過充電対策としては、▲１▼充電器による充電電圧を制御、▲２▼電池内圧による電流遮断装置がある。
【０００８】
上記▲１▼の充電器による過充電対策は、充電時に電池の充電端子電圧を制御するもので、単電池または単電池の並列接続では十分に効果のあるものである。しかし、電池は直列接続で使用されることが多く、この場合、直列接続の両端電圧は制御されるものの、個々の電池電圧の制御はできない。従って、直列接続中の少なくとも１個の電池がショートした場合、充電中に他の電池は過充電となり、この方式は完全な過充電対策とはならない。
【０００９】
上記▲２▼の電流遮断装置としては過充電中に電池の内圧が上昇することを利用し、メカニカルに電流リード線を遮断し、充電電流を遮断する方式がある。この方式は過充電そのものを防止するものではなく、過充電が進行後の電池温度の異常上昇、高圧内に起因する電池の破壊を未然に防止するもので、一度、電流遮断が働くとその電池は使用不能となる。
【００１０】
過充電対策については負極集電体金属の溶解電圧が電池電圧としてなるべく零に近い金属を選定する方法がある。例えばＣｕに変えてＮｉを使用すると効果は観察されるが、完全なものではない。特に、直列接続の電池では電池の個体差により、必ず、一方の電池の過放電が進行し、充放電サイクル劣化が著しい。
【００１１】
【発明が解決しようとする課題】
本発明は、電池の過充電及び過放電を完全に防止し、電池の信頼性、安全性を保証し得るようにしたバッテリーパックを提供するものである。
【００１２】
【課題を解決するための手段】
本発明に係るバッテリーパックは、電池容量に応じて電池電圧が変化する複数個の直列接続された非水系二次電池と充電端子と放電端子と過充電・過放電防止回路とを備えたバッテリーパックであって、過充電・過放電防止回路が次のように構成されてなる。即ち、この過充電・過放電回路は、個々の電池の両端子間の電圧を検出するための基準電圧と比較器により構成された第１の電圧検出手段と、共通端子及び充電端子間に直列接続された電池と直列に設けられた第１のスイッチ手段を有し、また、直列接続された電池の両端子間の電圧、もしくは個々の電池の両端子間の電圧を検出するための基準電圧と比較器により構成された第２の電圧検出手段と、共通端子及び放電端子間に直列接続された電池と直列接続された第２のスイッチ手段とを有し、充電時に個々の電池の電圧が第１の所定値を越えたとき、第１の電圧検出手段の個々の出力に基づいて第１のスイッチ手段をオフして、充電電流を遮断し、放電時に個々の電池の電圧が第２の所定値以下になったとき、もしくは全電池の総電圧が第３の所定値以下になったとき、第２の電圧検出手段の出力に基づいて第２のスイッチ手段をオフして、放電電流を遮断するように構成される。
第１及び第２のスイッチ手段としては、ｎチャンネルＦＥＴで構成することができる。
【００１３】
本発明に係るバッテリーパックでは、充電時に、個々の電池の電圧が常時第１の電圧検出手段により検出され、その電圧が第１の所定値（即ち設計電圧）を越えたときに第１の電圧検出手段の個々の出力に基づいて第１のスイッチ手段がオフして充電電流が遮断される。放電状態としたときには、電池の電圧が常時第２の電圧検出手段で検出され、個々の電池の電圧が第２の所定値（即ち設定で夏）以下になったとき、もしくは直列接続された全電池の総電圧が第３の所定値（即ち設定電圧）以下になると、第２の電圧検出手段の出力に基づいて第２のスイッチ手段がオフして放電電流が遮断される。従って、確実の電池の過充電・過放電が防止される。
【００１４】
【発明の実施の形態】
本発明は、前述した非水溶媒系２次電池の電池電圧と電池容量（充放電エネルギ）の相関関係を利用し、例えば直列接続された上記電池の端子電圧を常時検出し、設計電池電圧を越えると電子回路により充電電流を遮断し、また、電池の設定電圧以下で電子回路により放電電流を遮断するようにして、電池の過充電、過放電を完全に防止し、電池の信頼性・安全性を保証するものである。
【００１５】
以下、図面を参照して本発明によるバッテリーパックの実施の形態を説明する。
【００１６】
図３は、本実施の形態に係るバッテリーパックに組み込まれる過充電・過放電防止装置の基本構成を示す。この過充電・過放電防止装置は、過充電防止と過放電防止装置が一体に組み込まれている。本例では２個の電池を直列接続した場合である。
同図において、１１は共通端子、１２は放電端子、１３は充電端子、１４〔１４Ａ，１４Ｂ〕は直列接続された２個の電池を示す。直列接続された電池１４の一端（正極端）は共通端子１１に接続され、他端（負極端）は放電電流遮断用の第２のスイッチ手段１５を介して放電端子１２に接続されると共に、充電電流遮断用の第１のスイッチ手段１６を介して充電端子１３に接続される。各電池１４Ａ，１４Ｂの端子間、即ち電池１４Ａの端子間にこの電池電圧を検出するための第１の電圧検出器１７が接続され、電池１４Ｂの端子間に同様にこの電池電圧を検出するための第２の電圧検出器１８が接続され、第１及び第２の電圧検出器１７及び１８の夫々の出力側が第１のスイッチ手段１６に接続される。この第１及び第２の電圧検出器１７及び１８と、第１のスイッチ手段１６で過充電防止装置が構成される。また、直列接続の電池１４の両端間に直列接続された全電池の電池電圧を検出するための第３の電圧検出器１９が接続され、この電圧検出器１９の出力側が放電電流遮断用の第２のスイッチ手段１５に接続される。この第３の電圧検出器１９と第２のスイッチ手段１５で過放電防止装置が構成される。
【００１７】
電池１４Ａ，１４Ｂは前述した非水溶媒系２次電池例えばリチウムイオン２次電池を用いる。電圧検出器１７，１８，１９は消費電力が少なく、電圧検出精度の高いものが好ましい。スイッチ手段１５，１６は大電流用でオン抵抗の低いものがよい。
【００１８】
上述の構成において、共通端子１１及び充電端子１３を充電用電源に接続して直列接続された２個の電池１４Ａ，１４Ｂを充電するときには、第１のスイッチ手段１６がオン状態となされ、第１及び第２の電圧検出器１７，１８により常時個々の電池１４Ａ及び１４Ｂの端子電圧が検出されながら充電が行われる。そして電池１４Ａ，１４Ｂの少なくともいずれか一方の電池、例えば電池１４Ａの端子電圧が設計電圧ａ（図７参照）を越えると、電池１４Ａに対応する第１の電圧検出器１７の出力に基づいて第１のスイッチ手段１６がオフになり、充電電流が遮断されて、過充電が防止される。
【００１９】
次に、充電された電池１４をその共通端子１１及び放電端子１２を通じて負荷に接続して放電するときには、第２のスイッチ手段１５がオン状態となされ、第３の電圧検出器１９により常時直列接続の電池１４の両端間の電圧が検出されながら放電が行われる。そして電池の両端間の電圧が電池の負極集電体金属の溶解電圧又は負荷となる機器のカットオフ電圧等いずれか高い方で決まる設定電圧ｂ以下になると（図９参照）、第３の電圧検出器１９よりの出力に基づいて第２のスイッチ手段１５がオフとなり放電電流が遮断されて過放電が防止される。
【００２０】
図４に上記基本構成に対応した具体的な電子回路の例を示す。
直列接続された電池１４〔１４Ａ，１４Ｂ〕の一端（正極端）が共通端子（プラス端子）１１に接続され、他端（負極端）が第２のスイッチ手段本例ではｎチャンネルＦＥＴ１５及び第１のスイッチ手段本例ではｎチャンネルＦＥＴ１６を介して充電端子（マイナス端子）１３に接続され、さらに両第２及び第１のｎチャンネルＦＥＴ１５及び１６の接続中点が放電端子（マイナス端子）１２に接続される。Ｄ１，Ｄ２は寄生ダイオードである。
【００２１】
共通端子１１は抵抗Ｒ４を介して第１のｎチャンネルＦＥＴ１６のゲートに接続される。さらに、共通端子１１がｐｎｐトランジスタＱ３及び抵抗Ｒ５，Ｒ６を介して充電端子１３に接続されると共に、第１のｎチャンネルＦＥＴ１６のゲートとソース（充電端子１３に接続されている）間にｎｐｎトランジスタＱ４が接続され、そのゲート抵抗Ｒ５とＲ６の接続中点に接続される。
【００２２】
一方、第１，第２，第３の各電圧検出器１７，１８，１９は図３に示すように、出力端ｔ１，＋電源端子ｔ２及び−電源端子ｔ３を有する比較器２１よりなり、そのマイナス入力端に基準電圧Ｖ２を印加すると共に、＋電源端子ｔ２と−電源端子ｔ３間に抵抗Ｒ１及びＲ２を接続して抵抗Ｒ１及びＲ２の接続中点の電圧Ｖ１をプラス入力端に印加するようにして構成される。この電圧検出器１７（１８，１９）ではＶ１＜Ｖ２のとき出力端子ｔ１の電圧Ｖｔ１が−電源端子ｔ３の電圧Ｖｔ３に等しくなり（Ｖｔ１＝Ｖｔ３）、Ｖ１＞Ｖ２のときに出力端子ｔ１の電圧Ｖｔ１が＋電源端子ｔ２の電圧Ｖｔ２に等しくなく（Ｖｔ１＝Ｖｔ２）。
ここで、第１及び第２の電圧検出器１７及び１８ではその端子ｔ２及びｔ３間の電圧が単電池１４Ａ，１４Ｂの設計電圧（例えは４．３Ｖ）まではＶ１＜Ｖ２であり設計電圧を越えるとＶ１＞Ｖ２となるように設定される。また第３の電圧検出器１９ではその端子ｔ２及びｔ３間の電圧が設定電圧（例えば２個直列の両端間電圧４．３Ｖ）以下でＶ１＞Ｖ２、設定電圧より上でＶ１＜Ｖ２となるように設定される。
【００２３】
そして、放電電圧を検出する第３の電圧検出器１９は、その出力端子ｔ１がスイッチ手段である第２のｎチャンネルＦＥＴ１５のゲートに、その＋電源端子ｔ２が共通端子１１従って電池１４の一端（正極端）に、その−電源端子ｔ３が電池１４の他端（負極端）に、夫々接続される。また、電池１４Ａの端子電圧を検出する第１の電圧検出器１７は、その＋電源端子ｔ２が電池１４Ａの正極端に、−電源端子ｔ３が電池１４Ｂの負極端に夫々接続されると共に、その出力端子ｔ１が抵抗Ｒ７を介してスイッチング回路を構成する例えばｎｐｎトランジスタＱ１のベースに接続される。トランジスタＱ１のエミッタは第１の電圧検出器１７の−電源端子ｔ３に接続され、コレクタは抵抗Ｒ９及びダイオードＤ３を介してｐｎｐトランジスタＱ１のベースに接続される。電池１４Ｂの端子電圧を検出する第２の電圧検出器１８は、その＋電源端子ｔ２が電池１４Ｂの正極端（即ち電池１４Ａ及び１４Ｂの接続中点）に、−電源端子ｔ３が電池１４Ｂの負極端に夫々接続されると共に、その出力端子ｔ１が抵抗Ｒ８を介してスイッチング回路を構成するｎｐｎトランジスタＱ２  のベースに接続される。トランジスタＱ２のエミッタは第２の電圧検出器１８の−電源端子ｔ３に接続され、コレクタは抵抗Ｒ１０及びダイオードＤ４を介してｐｎｐトランジスタＱ３  のベースに接続される。さらに、ｐｎｐトランジスタＱ３のベースとエミッタ間に抵抗Ｒ１１が接続される。
【００２４】
次に、この図４の回路の動作を説明する。先ず、共通端子１１及び充電端子１３を充電用の電源に接続して直列接続した電池１４を充電する場合について述べる。充電初期状態では第１及び第２の電圧検出器１７及び１８がＶ１＜Ｖ２であるので出力端子ｔ１の電圧Ｖｔ１が−電源端子ｔ３の電圧Ｖｔ３と等しくなる故、トランジスタＱ１及びＱ２はオフ状態となっている。一方、第２のｎチャンネルＦＥＴ１５はオン状態となっている。従って、共通端子１１を通して第１のｎチャンネルＦＥＴ１６のゲートにプラス電圧が与えられることにより、第１のｎチャンネルＦＥＴ１６がオンし、充電電流が共通端子１１−電池１４Ａ，１４Ｂ−第２のｎチャンネルＦＥＴ１５−第１のｎチャンネルＦＥＴ１６−充電端子１３間に流れ、電池１４Ａ，１４Ｂが充電される。
【００２５】
充電が進み、電池１４Ａ，１４Ｂの少なくともいずれか一方、例えば電池１４Ａの充電電圧が設計電圧ａを越えると、第１の電圧検出器１７においてＶ１＞Ｖ２となり、出力端子ｔ１の電圧Ｖｔ１が＋電源端子ｔ２の電圧Ｖｔ２と等しくなることにより、トランジスタＱ１のベースにプラス電位が与えられトランジスタＱ１がオンする。トランジスタＱ１がオンすることによりｐｎｐトランジスタＱ３がオンし、さらにトランジスタＱ４がオンすることにより充電電流遮断用のスイッチ手段である第１のｎチャンネルＦＥＴ１６がオフし、充電電流が遮断される。また、電池１４Ｂが先に設計電圧ａを越えると第２の電圧検出器１８の出力端子電圧Ｖｔ１が同様に＋電源端子の電圧Ｖｔ２と等しくなることによって、この検出器１８の出力に基づいて第１のｎチャンネルＦＥＴ１６がオフし、充電電流が遮断される。従って充電が停止し電池１４Ａ，１４Ｂに対する過充電が防止される。
【００２６】
次に、共通端子１１及び放電端子１２を介して充電した電池１４〔１４Ａ，１４Ｂ〕に外部負荷を接続して放電する場合について述べる。放電電流は、放電端子１２−第２のｎチャンネルＦＥＴ１５−電池１４Ｂ，１４Ａ−共通端子１１を通して流れる。放電が進み、直列接続された電池１４Ａ，１４Ｂの容量が下がって、設定電圧ｂ以下になると第３の電圧検出器１９においてＶ１＜Ｖ２になり、出力端子ｔ１の電圧Ｖｔが−電源端子ｔ３の電圧Ｖｔ３に等しくなることによってその第３の電圧検出器１９の出力電圧で放電電流遮断用のスイッチ手段である第２のｎチャンネルＦＥＴ１５がオフし、放電電流が遮断される。従って、放電が停止して電池１４Ａ，１４Ｂの過放電が防止される。
【００２７】
このようにして、本実施の形態では、単電池端子電圧４．３Ｖを越える過充電、２個直列の両端端子電圧４．３Ｖ以下の過放電を防止することができる。
【００２８】
図６は、４個の電池１４〔１４Ａ，１４Ｂ，１４Ｃ，１４Ｄ〕を直並列接続した場合の例であり、図３と対応する部分には同一符号を付して重複説明を省略する。本実施の形態では充電時、電池１４Ａ及び１４Ｃの少なくともいずれか一方が設計電圧を越えると、第１の電圧検出器１７の出力に基づいて第１のスイッチ手段１６がオフし、また、電池１４Ｂ及び１４Ｄの少なくともいずれか一方が設計電圧ａを越えると第２の電圧検出器１８の出力に基づいて第１のスイッチ手段１６がオフし、充電電流が遮断されて電池１４Ａ，１４Ｂ，１４Ｃ，１４Ｄの過充電が防止される。放電時は直列接続された電池１４Ａ及び１４Ｂ又は電池１４Ｃ及び１４Ｄの少なくともいずれかの両端電圧が設定電圧ｂ以下となると第３の電圧検出器１９の出力に基づいて第２のスイッチ手段１５がオフし、放電電流が遮断されて過放電が防止される。具体的な電子回路構成は図４を用いることができる。
【００２９】
図１及び図２は、図４に示す過充電・過放電防止回路を組込んだ本発明に係るバッテリーパックの一実施の形態を示す。図１において、２２は裏面に図４に示す回路に相当する配線パターン２３が形成され、表面に回路部品２４がマウントされたプリント基板を示す。このプリント基板２２は２個の電池１４Ａ及び１４Ｂが並置される大きさを有し、その基板２２の一端より起立するように直列接続の一方の電池１４Ａの正極端と接続する正極タブ２６及び他方の電池１４Ｂの負極端と接続する負極タブ２７が形成されると共に、基板２２の他端より起立するように一方の電池１４Ａの負極端と他方の電池１４Ｂの正極端が共通接続される中点用タブ２８が形成され、更に基板の一側に起立するように共通端子１１、放電端子１２及び充電端子１３を外側に配した端子固定板２９が一体に設けられて成る。各共通端子１１、放電端子１２、充電端子１３、タブ２６，２７，２８等はプリント基板２２の配線パターン２３に接続される。回路部品２４は２個の電池１４Ａ及び１４Ｂを並べて配したときの両電池１４Ａ及び１４Ｂの隙間に当たる基板中央にマウントされる。なお、タブ２６，２７，２８に対応する位置を図４において同符号で示す。そして、図２Ａで示すように、このプリント基板２２上に２個の電池１４Ａ及び１４Ｂを配し、電池１４Ａの正極端と正極タブ２６とを、電池１４Ｂの負極端と負極タブ２７とを、電池１４Ａの負極端及び電池１４Ｂの正極端と中点用タブ２８とを、夫々例えば溶接により電気的且つ機械的に接続固定する。そして、電池１４Ａ，１４Ｂとプリント基板２２が一体化されたものを上ケース３１と下ケース３２からなる収納ケース３３内に収納し、下ケース３２に設けた開口３５，３６及び３７に夫々共通端子１１、放電端子１２及び充電端子１３を臨ましめて図２Ｂに示す過充電・過放電防止可能なバッテリーパック３８が構成される。
【００３０】
上述の図３及び図６では直列接続された２個の電池の両端間に１つの第３の電圧検出器１９を設けたが、直列接続された個々の電池に対応して夫々第３の電圧検出器１９を設けることも可能である。
【００３１】
尚、上述した電子回路は、本発明の技術思想を実現する回路の一例であり、使用する素子、回路方式、設定電圧は任意であることは言うまでもない。また、単電池、３個以上の直列接続等にも対応できる。さらに、回路の一部または全部をＩＣ化して用いることも可能である。上述の電子回路は電池内部、外部、バッテリーパック内、充電器に一部または全部を組込むことができる。
【００３２】
上述したように、本実施の形態では、単電池、並列接続、２個以上の直列接続、直並列接続の電池等に対応できる。直列接続の電池に対応する場合には、電圧検出手段として、個々の電池に対応して電圧検出手段を設けてもよいが、直列接続した電池の両端間電圧を検出する１つの電圧検出手段を設けるようにしても良い。
【００３３】
また、上述の図３及び図４では過充電防止装置と過放電防止装置を一体に組合せた例を示したが、その他、過充電防止装置、過放電防止装置を夫々単独で用いることも可能である。例えば過充電防止装置のみを充電器に組込んだり、又は過放電防止装置のみをバッテリーパックに組込むことができる。
また上例ではリチウムイオン２次電池の過充電、過放電の防止に適用したがその他の非水溶接系２次電池にも適用できることは勿論である。
【００３４】
上述した実施の形態によれば、電池の充電時に過充電を防止することができるので、電池の正極活物質及び電解液の分解、電池の内部ショート、電池温度、及び電池内圧の異常上昇、温度及び内圧の上昇にともなう電池破壊を回避することができる。また、電池を外部負荷に接続して放電するときにも、電池の過放電を防止することができるので、電池容量の劣化、充電型サイクル寿命劣化、電池の内部ショートを避けることができる。従って、電池が使用不能とならず電池の信頼性、安全性を保証することができる。
【００３５】
【発明の効果】
本発明に係るバッテリーパックによれば、電池の充電時、その過充電を防止することができる。また、電池の放電時に過放電を防止することができる。従って、電池の破壊を回避し、電池の信頼性、安全性を保証することができる。
【図面の簡単な説明】
【図１】Ａ，Ｂ  本発明に係るバッテリーパックの一実施の形態を示す製造工程図（その１）である。
【図２】Ａ，Ｂ  本発明に係るバッテリーパックの一実施の形態を示す製造工程図（その２）である。
【図３】本発明に係るバッテリーパックに組み込ませる過充電・過放電防止装置の実施の形態を示す基本構成図である。
【図４】図３の電子回路例を示す回路図である。
【図５】図４の電圧検出器の回路図である。
【図６】本発明に係るバッテリーパックに組み込まれる過充電・過放電防止装置の他の実施の形態を示す基本構成図である。
【図７】リチウムイオン２次電池の構成図である。
【図８】リチウムイオン２次電池の充電エネルギと電池電圧の関係を示すグラフである。
【図９】リチウムイオン２次電池の放電エネルギと電池電圧の関係を示すグラフである。
【符号の説明】
１１・・共通端子、１２・・放電端子、１３・・充電端子、１４Ａ，１４Ｂ・・電池、１５，１６・・スイッチ手段、１７，１８，１９・・電圧検出器、２２・・プリント基板、２３・・配線パターン、２４・・回路部品、２６・・正極タブ、２７・・負極タブ、２８・・中点用タブ、２９・・端子固定版、３１・・上ケース、３２・・下ケース、３３・・収納ケース
【図１】
0003555623.tif 000003
【図２】
0003555623.tif 000004
【図３】
0003555623.tif 000005
【図４】
0003555623.tif 000006
【図５】
0003555623.tif 000007
【図６】
0003555623.tif 000008
【図７】
0003555623.tif 000009
【図８】
0003555623.tif 000010
【図９】
0003555623.tif 000011